(57)【要約】【課題】楕円形のダイヤフラムを備えて周波数帯を広く取り、音質，出力を良好に保つと共に、組立上の手間やコストの削減を図り、搭載機器における機内の更なるスペース効率を高められるよう多機能型振動アクチュータを構成する。【解決手段】楕円壁１０を有する第１ハウス部１ａと、第１ハウス部１ａの楕円中央で幅方向に相応する直径の円筒壁１１を有する第２ハウス部１ｂとを第１ハウス部１ａの両底壁１ｃ，１ｄで一体に形成したハウジング１を備えると共に、円環形のボイスコイル３を内面に取り付けた楕円形のダイヤフラム３と、円形の磁気回路部４と、円板形のサスペンション５とを備え、楕円形のダイヤフラム３を第１ハウス部１ａの壁内に張設し、円形の磁気回路部４をサスペンション５で第２ハウス部１ｂの筒内に組み付ける。【選択図】図１０
2005244743.tif 000002
【特許請求の範囲】
【請求項１】
ボイスコイルを内面に取り付けた薄板状のダイヤフラムと、ヨーク，マグネット，ポールピースから組み立てられる磁気回路部と、磁気回路部を保持する板バネ状のサスペンションとを備え、磁気回路部をサスペンションでハウジングの壁内に組み付け、ボイスコイルを磁気回路部の磁気ギャップに挿置させてダイヤフラムをハウジングの壁内に張設し、ボイスコイルをハウジングの壁外に引き出すリード線で外部端子と電気的に接続する多機能型振動アクチュエータにおいて、
楕円壁を有する第１ハウス部と、第１ハウス部の楕円中央で幅方向に相応する直径の円筒壁を有する第２ハウス部とを第１ハウス部の両底壁で一体に形成したハウジングを備えると共に、円環形のボイスコイルを内面に取り付けた楕円形のダイヤフラムと、該ボイスコイルを挿置する磁気ギャップを設けた円形の磁気回路部と、円板形のサスペンションとを備え、楕円形のダイヤフラムを第１ハウス部の壁内に張設し、円形の磁気回路部をサスペンションで第２ハウス部の筒内に組み付けてなることを特徴とする多機能型振動アクチュエータ。
【請求項２】
円環形のボイスコイルで囲む板面中央のドーム形状部より同じ向き斜めに傾いて放射状に伸び、半円方向の板面に長く、幅方向の板面に短い長さを有する複数本のＶ溝を板面に付形した楕円形のダイヤフラムを備え付けてなることを特徴とする請求項１に記載の多機能型振動アクチュエータ。
【請求項３】
ボイスコイルのリード線を板面中央のドーム形状部より同じ半円形の板面上で＋極，−極と両側に分けて引き出した楕円形のダイヤフラムを備え付けてなることを特徴とする請求項１または２に記載の多機能型振動アクチュエータ。
【請求項４】
円形の磁気回路部を保持する中央の円輪部と、円輪部の１２０°間隔を隔てたアーム付け根より同じ長さで円周方向の同じ向きに伸びる三本のアーム部とを有し、一本のアーム部を第２ハウス部の径内より伸びるアーム先端で第１ハウス部の片底壁面中央に嵌込み固定し、二本のアーム部を第２ハウス部の径内より伸びるアーム先端で第１ハウス部の他底壁面両側に嵌込み固定する一つのサスペンションを備え付けてなることを特徴とする請求項１に記載の多機能型振動アクチュエータ。
【請求項５】
アーム先端を各々異なる形状に形成した三本のアーム部を有するサスペンションを備えると共に、各アーム先端の形状に相応する凹部を第１ハウス部の底壁面に設け、サスペンションをアーム先端と凹部との形状合せで第２ハウス部の筒内に位置決め配置してなることを特徴とする請求項４に記載の多機能型振動アクチュエータ。
【請求項６】
ボイスコイルと電気的に接続する外部端子をプリント基板で形成し、該プリント基板を第１ハウス部の片底壁でダイヤフラムの張設面と反対側の底壁面に装着してなることを特徴とする請求項１または３に記載の多機能型振動アクチュエータ。
【請求項７】
請求項１〜６のいずれかに記載の多機能型振動アクチュエータを搭載したことを特徴とする携帯用通信機器。
【発明の詳細な説明】
【技術分野】
【０００１】
本発明は、スピーカ，バイブレータ，ブザーの各機能を一体に備えた多機能型振動アクチュエータ並びに多機能型振動アクチュエータを搭載する携帯用通信機器に関するものである。
【背景技術】
【０００２】
多機能型振動アクチュエータは、音声用のスピーカ機能，振動用のバイブレータ機能，呼出し用のブザー機能を一体に備えるものとして携帯電話機等の携帯用通信機器に搭載されている。この種の機器においては、周波数帯を広く取って音質，出力を良好に保ちながらも、機内のスペース効率を高めることから、小型の多機能型振動アクチュエータを搭載することが望まれている。
【０００３】
その要請に応ずるものとしては、同じ周波数帯を取るとすると、円形のダイヤフラムよりも幅方向が狭くて同等の全体面積を保てる楕円形のダイヤフラムを備えることが提案されている（特許文献１，２）。
【０００４】
その公知の多機能型振動アクチュエータは、ハウジングは基より、ヨーク，マグネット，ポールピースから組み立てられる磁気回路部、ボイスコイル、磁気回路部を保持するサスペンションを含め、全てが楕円形に形成したもので組み立てられている。
【０００５】
全てを楕円形に形成したもので組み立てる場合、特に、磁気回路部のヨーク，マグネット，ポールピースを加工するのが難しいため、製作コストが掛り、多機能型振動アクチュエータとして高価なものになる。また、ハウジングも全体形状として楕円形に形成されているため、幅方向の機内スペースを節減できても、長手方向においては機内スペースの節減とならない。
【特許文献１】特開２０００−２０１３９６号
【特許文献２】特開２００２−３０７０１３号
【発明の開示】
【発明が解決しようとする課題】
【０００６】
本発明の解決しようとする課題は、主に、音質の改善を目的とし、楕円形のダイヤフラムを備えて周波数帯を広く取り、スピーカ機能としての音質，出力を良好に保ち、且つ、組立上の手間やコストの削減を図れると共に、搭載機器における機内の更なるスペース効率を高められるよう多機能型振動アクチュータを構成するところにある。
【０００７】
その他に、ダイヤフラムのウエイトバランス、サスペンションの組付け、外部端子の配置等の観点から多機能型振動アクチュエータとして好ましい形態に構成することにもある。
【課題を解決するための手段】
【０００８】
本発明の請求項１は、ボイスコイルを内面に取り付けた薄板状のダイヤフラムと、ヨーク，マグネット，ポールピースから組み立てられる磁気回路部と、磁気回路部を保持する板バネ状のサスペンションとを備え、磁気回路部をサスペンションでハウジングの壁内に組み付け、ボイスコイルを磁気回路部の磁気ギャップに挿置させてダイヤフラムをハウジングの壁内に張設し、ボイスコイルをハウジングの壁外に引き出すリード線で外部端子と電気的に接続するもので、
楕円壁を有する第１ハウス部と、第１ハウス部の楕円中央で幅方向に相応する直径の円筒壁を有する第２ハウス部とを第１ハウス部の両底壁で一体に形成したハウジングを備えると共に、円環形のボイスコイルを内面に取り付けた楕円形のダイヤフラムと、該ボイスコイルを挿置する磁気ギャップを設けた円形の磁気回路部と、円板形のサスペンションとを備え、楕円形のダイヤフラムを第１ハウス部の壁内に張設し、円形の磁気回路部をサスペンションで第２ハウス部の筒内に組み付けたことを特徴とする。
【０００９】
本発明の請求項２は、円環形のボイスコイルで囲む板面中央のドーム形状部より同じ向き斜めに傾いて放射状に伸び、半円方向の板面に長く、幅方向の板面に短い長さを有する複数本のＶ溝を板面に付形した楕円形のダイヤフラムを備え付けたことを特徴とする。
【００１０】
本発明の請求項３は、ボイスコイルのリード線を板面中央のドーム形状部より同じ半円形の板面上で＋極，−極と両側に分けて引き出した楕円形のダイヤフラムを備え付けたことを特徴とする。
【００１１】
本発明の請求項４は、円形の磁気回路部を保持する中央の円輪部と、円輪部の１２０°間隔を隔てたアーム付け根より同じ長さで円周方向の同じ向きに伸びる三本のアーム部とを有し、一本のアーム部を第２ハウス部の径内より伸びるアーム先端で第１ハウス部の片底壁面中央に嵌込み固定し、二本のアーム部を第２ハウス部の径内より伸びるアーム先端で第１ハウス部の他底壁面両側に嵌込み固定する一つのサスペンションを備え付けたことを特徴とする。
【００１２】
本発明の請求項５は、アーム先端を各々異なる形状に形成した三本のアーム部を有するサスペンションを備えると共に、各アーム先端の形状に相応する凹部を第１ハウス部の底壁面に設け、サスペンションをアーム先端と凹部との形状合せで第２ハウス部の筒内に位置決め配置したことを特徴とする。
【００１３】
本発明の請求項６は、ボイスコイルと電気的に接続する外部端子をプリント基板で形成し、該プリント基板を第１ハウス部の片底壁でダイヤフラムの張設面と反対側の底壁面に装着したことを特徴とする。
【００１４】
本発明の請求項７は、携帯用通信機器として請求項１〜６のいずれかに記載の多機能型振動アクチュエータを搭載したことを特徴とする。
【発明の効果】
【００１５】
本発明の請求項１に係る多機能型振動アクチュエータでは、楕円形のダイヤフラムを第１ハウス部の楕円壁内に張設し、一方、円形の磁気回路部をサスペンションで第２ハウス部の円筒壁内に組み付けるため、楕円形の大口径なダイヤフラムにより周波数帯を広く取れ、スピーカ機能としての音質，出力をより良好なものに保てると共に、サスペンションを含み、磁気回路部を円形に形成することから、構成部品の成形や組立乃至は組付け上の手間を省けて部品コストの削減も図れる。
【００１６】
それに加えて、第１ハウス部の幅方向に相応する直径の円筒壁を有する第２ハウス部を機器内に設置することから、第２ハウス部の両側に張り出す第１ハウス部の底壁空間を他部品の実装スペースとして活用でき、第１ハウス部の楕円壁による幅方向のスペース削減と共に、搭載機器における機内の更なるスペース効率を高められる。
【００１７】
本発明の請求項２に係る多機能型振動アクチュエータでは、放射状のＶ溝を板面に付形することによるタンジェンシャル形態のダイヤフラムを備えるため、板面内に伝わる音波の位相ズレを防げて、スピーカ機能としての音質，出力を良好なものに保てると共に、板面中央の振動部より同じ向き斜めに傾いて放射状に伸び、半円方向の板面に長く、幅方向の板面に短い長さを有するＶ溝を設けることから、ダイヤフラムを楕円形としても十分な剛性を持たせられる。
【００１８】
本発明の請求項３に係る多機能型振動アクチュエータでは、ボイスコイルのリード線を板面中央のドーム形状部より同じ半円形の板面上で＋極，−極と両側に分けて引き出した楕円形のダイヤフラムを備えることから、ダイヤフラムのウエイトバランスを均等に保てて音質，出力の良好なものに組み立てられる。
【００１９】
本発明の請求項４に係る多機能型振動アクチュエータでは、サスペンションのアームのうち、一本のアーム部を第２ハウス部の径内より伸びるアーム先端で第１ハウス部の片底壁面中央に嵌込み固定し、二本のアーム部を第２ハウス部の径内より伸びるアーム先端で第１ハウス部の他底壁面両側に嵌込み固定するため、楕円形の第１ハウス部による幅方向の広がりを抑えられ、また、サスペンションによる磁気回路部の三点支持で安定のよい振動性能を発揮できると共に、寸法の長いアーム部により振動に伴う金属疲労の発生も抑えられる。
【００２０】
本発明の請求項５に係る多機能型振動アクチュエータでは、アーム部の先端形状を各々異なる形状に形成し、そのアーム先端の形状に相応する凹部を第１ハウス部の底壁面に設けるため、サスペンションをアーム先端と凹部との形状合せで正確に位置決めさせて磁気回路部を第２ハウス部の筒内に容易に配置できる。
【００２１】
本発明の請求項６に係る多機能型振動アクチュエータでは、ボイスコイルと電気的に接続する外部端子をプリント基板で形成し、そのプリント基板を第１ハウス部の片底壁でダイヤフラムの張設面と反対側の底壁面に装着することから、外部端子としてハウジングから張り出すような独自の取付けスペースが必要とされず、アクチュエータ全体を小型に保てる。
【００２２】
本発明の請求項７に係る携帯用通信機器では、請求項１〜６のいずれかに記載の多機能型振動アクチュエータを搭載することから、機内のスペースを有効に活用可能で音質，出力の良好な携帯用通信機器として組み立てられる。
【発明を実施するための最良の形態】
【００２３】
図１は、多機能型振動アクチュエータの構成部品を部品毎に展開させて示す斜視図である。同図中、符号１はハウジング、２はダイヤフラム、３はボイスコイル、４は磁気回路部、４ａは磁気回路部のヨーク、４ｂは磁気回路部のマグネット、４ｃは磁気回路部のポールピース、５はサスペンション、６は外部端子、７はカバーを示す。なお、図１はカバー７を上側に配置し、ダイヤフラム２を下側に配置して示すが、図２〜図８は多機能型振動アクチュエータの実装向きを基準として構成部品を図１と反転向きで示す。
【００２４】
ハウジング１としては、図２並びに３で示すように楕円壁１０を有する第１ハウス部１ａと、円筒壁１１を有する第２ハウス部１ｂとを主部として形成したものが備えられている。そのハウス部１ａ，１ｂは、三日月状の鍔形を呈する第１ハウス部１ａの両底壁１ｃ，１ｄで一体に形成されている。
【００２５】
第１ハウス部１ａの楕円壁１０は、図４で示すように両側の半円壁１０ａ，１０ｂを相対する直線壁１０ｃ，１０ｄで連続した楕円形状に形成されている。第２ハウス部１ｂの円筒壁１１は、第１ハウス部１ａの楕円中央で相対する直線壁１０ｃ，１０ｄの間隔，即ち、楕円形の幅方向に相応する直径の真円形状に形成されている。
【００２６】
第１ハウス部１ａの両底壁１ｃ，１ｄには、サスペンション５のアーム数に相応する三つの凹部１２ａ〜１２ｃが第２ハウス部１ｂの内径縁より両底壁１ｃ，１ｄの内面側に延びるよう設けられている。その凹部１２ａ〜１２ｃは、一つが片底壁１ｃの面中央に、残り二つがアーム先端で他底壁１ｄの面両側に位置するよう設けられている。この凹部１２ａ〜１２ｃは、後述するサスペンション５の先端形状に相応させて各々異なる形状に形成されている。
【００２７】
第１ハウス部１ａの両底壁１ｃ，１ｄには、ダイヤフラム２の振動を円滑に許容する複数の通気孔１３ａ，１３ｂが点在させて設けられている。その両側の半円壁１０ａ，１０ｂには、ダイヤフラム２を位置決め固定する半円形の突起１４ａ，１４ｂが長手方向の中央で相対位置するよう内面側に設けられている。片側の半円壁１０ａには、ボイスコイル３のリード線を引き出す半円形の窪み部１５ａ，１５ｂが外回り縁に設けられている。また、外面側には外部端子６を位置決め固定する凹部１６が設けられている。
【００２８】
第２ハウス部１ｂの円筒壁１１には、カバー７を嵌込み固定する一対の係止爪１７ａ，１７ｂが楕円壁１０の幅方向に相当する真円形の中心線上で相対位置するよう外方に突出させて設けられている。
【００２９】
ダイヤフラム２としては、図５で示すように外周縁が楕円壁１０の内のり形状と共通する楕円形で薄板状のものが備えられている。この楕円形のダイヤフラム２では、周波数帯を広く取って音質，出力を良好に保ちながらも、同じ周波数帯を取るとすると、円形のダイヤフラムよりも幅方向が狭くて同等の全体面積を保てる。
【００３０】
そのダイヤフラム２には、ボイスコイル３を固定する円輪状の突条部２０が板面の中央に設けられている。外周縁には、第１ハウス部１ａの楕円壁１０に設けられた突起１４ａ，１４ｂと係合させて全体面を位置決めする半円形の切欠２１ａ，２１ｂが長手方向の中央に設けられている。
【００３１】
そのダイヤフラム２としては、複数本のＶ溝２２ａ，２２ｂ、２２ｃ，２２ｄをボイスコイル３（図１参照）で囲まれる板面中央のドーム形状部２３より放射状に伸びるよう板面に設けたタンジェンシャル形態のものが備えられている。各Ｖ溝は同じ向き斜めに傾き、且つ、半円方向の板面に付形するもの２２ａ，２２ｂが長く、幅方向の板面に付形するもの２２ｃ，２２ｄが短い長さを有するよう設けられている。
【００３２】
そのＶ溝２２ａ，２２ｂ、２２ｃ，２２ｄを設けたダイヤフラム２では、板面内に伝わる音波の位相ズレを防げ、スピーカ機能としての音質，出力を良好なものに保てると共に、剛性のある楕円形の板面形態を保てる。
【００３３】
ダイヤフラム２には、円環状のボイスコイル３が突条部２０の突端面に装着されて楕円形の板面中央に取り付けられる。そのボイスコイル３のリード線３ａ，３ｂは、板面中央のドーム形状部２３よりも外側となる板面から導出し、後述する如く外部端子６と電気的に接続するよう同じ半円形の板面上で＋極，−極と両側に分けて引き出される。このリード線３ａ，３ｂの引き出しによっては、ダイヤフラム２のウエイトバランスを均等に保つようボイスコイル３を取り付けられる。
【００３４】
磁気回路部４としては、図６で示すようにヨーク４ａを基体にし、マグネット４ｂをヨーク４ａの内部に取り付け、ポールピース４ｃをマグネット４ｂに重ねて取り付けることから三者一体に組み立てたものが備えられている。この磁気回路部４では、ヨーク４ａの内周面とマグネット４ｂの外周面との相対間隔を磁気ギャップＧ１として保持するよう形成されている。
【００３５】
その磁気回路部４は、いずれも円形のヨーク４ａ，マグネット４ｂ，ポールピース４ｃから組み立てることにより、第２ハウス部１ｂの円筒壁１１で収容可能な円形状に形成されている。この円形のヨーク４ａ，マグネット４ｂ，ポールピース４ｃでは加工，組立が容易であるため、製作コストを低く抑えられて安価なものとして得られる。
【００３６】
ヨーク４ａは、極少のクリアランスを第２ハウス部１ｂの円筒壁１１との間に保つ大きさの最大径部４０を備えて形成されている。これと共に、全体重量を適度に保つべく、直径の徐々に小さくなる周回り段部４１，４２を設け、サスペンション５の嵌込み段部２４を含み、マグネット４ｂ，ポールピース４ｃを内部に収容可能な立上りの周回り壁が形成されている。
【００３７】
サスペンション５としては、図７で示すように中央の円輪部５０と、三本のアーム部５１〜５３とを有する板バネ状のものが備えられている。アーム部５１〜５３は、円輪部５０の１２０°間隔を隔てたアーム付け根５１ａ〜５３ａより同じ長さで円周方向の同じ向きに伸びるよう形成されている。アーム先端５１ｂ〜５３ｂは、略Ｌ字状を呈する曲り向き乃至は曲り形状から異なる形状に形成されている。
【００３８】
そのサスペンション５の円輪部５０には、ピンホール状の穿孔５４ａ〜５４ｃがアーム付け根５１ａ〜５３ａと相応する板面に設けられている。この穿孔５４ａ〜５４ｃを用いては、サスペンション５の円輪部５０を嵌め込むヨーク４ａの段部面とレーザ溶接することから、磁気回路部４がサスペンション５と一体に取付け固定される。
【００３９】
外部端子６としては、所定の回路パターンを印刷したプリント基板が備えられている。そのプリント基板６には、＋極，−極と絶縁分離した電極部６ａ，６ｂが設けられている。このプリント基板６は、図８で示すように片底壁１ｃの外面側に設けた凹部１６（図１参照）に嵌め合せて接着固定することからハウジング１の外回りに張り出さないよう備え付けられる。
【００４０】
カバー７は、第２ハウス部１ｂの外回りに被る有底の円筒形を呈するよう形成されている。そのカバー７の周側面には、第２ハウス部１ｂの係止爪１７ａ，１７ｂと嵌り合う切欠穴７０（７１）が相対する側面位置に設けられている（図１参照）。
【００４１】
上述した構成各部から多機能型振動アクチュエータとして組み立てるには、図９で示すように磁気回路部４を一つのサスペンション５で円筒壁１１の径内に組み付ける。サスペンション５は、一本のアーム部５１を第２ハウス部１ｂの径内より伸びるアーム先端５１ｂで片底壁１ｃの面中央に設けられた凹部１２ａに嵌込み固定し、二本のアーム部５２，５３を第２ハウス部１ｂの径内より伸びるアーム先端５２ｂ，５３ｂで他底壁１ｄの面両側に設けられた凹部１２ｂ，１２ｃに嵌込み固定することから磁気回路部４を一つで保持するよう組み付ける。
【００４２】
その組立の際、サスペンション５は各異なる形状のアーム先端５１ａ〜５３ａと各アーム先端５１ａ〜５３ａの形状に相応する凹部１２ａ〜１２ｃとの形状合せにより向きを正確に合わせて簡単に取り付けられる。磁気回路部４は、サスペンション５による三点支持で安定のよい振動性能を発揮可能に組み付けられる。サスペンション５は、長い寸法のアーム部５１〜５３により無理なく大きな振幅を取れるため、振動に伴う金属疲労の発生を抑えられる。
【００４３】
ダイヤフラム２は、外周縁を接着固定することから第１ハウス部１ａの楕円内に張設する。その際、ダイヤフラム２は外周縁の切欠２１ａ，２１ｂを周側壁１０の突起１４ａ，１４ｂと係合させて全体面を位置決めすることから簡単で正確に取り付けられる。
【００４４】
ボイスコイル３は、ダイヤフラム２の組付けにあたり、磁気回路部４の磁気ギャップＧ１に挿置するよう位置合わせする。各リード線３ａ，３ｂは、ダイヤフラム２の同じ半円上で＋極，−極と両側に分けて片側の半円壁１０ａに設けた窪み部１５ａ，１５ｂより反対側に回し込み、リード端をプリント基板６の電極部６ａ，６ｂに半田付け固定する。
【００４５】
カバー７は、第２ハウス部１ｂの外回りに被せて係止爪１７ａ，１７ｂと切欠穴７０（７１）とを嵌め合せることから第２ハウス部１ｂの開放側に被着固定する。
【００４６】
このように構成する多機能型振動アクチュエータでは、振動を携帯通信機器筐体の外方に向けて発信する構造から、ダイヤフラム２の装着側を機器ケースの内側で外方に向け、カバー７の装着側を内方に向けるようケース内に組み付けられる。その組付け上から他部品の実装基板が機器ケースの内部に組み付けられるものでは、多機能型振動アクチュエータとしての占有面積がカバー７の装着側で設定される。
【００４７】
そのカバー７の装着側，即ち、第２ハウス部１ｂより張り出す底壁１ｃ，１ｄの下方は、図１０で示すように空間を実装面Ｐとの間に呈するところ、この空間は他部品の実装スペースＳとして有効活用するようにできる。従って、楕円壁１０の幅方向によるスペースの節減と楕円壁１０の長手方向における円筒壁１１によるスペースの節減とを共に図れる。
【００４８】
磁気回路部４のヨーク４ａは、極少のクリアランスＧ２を第２ハウス部１ｂの円筒壁１１との間に最大径部４０で保つ大きさに形成されているため、ダイヤフラム２と磁気回路部４とで形成される空間内の空気と、磁気回路部４とカバー７とで形成される空間内の空気との移動量をクリアランスＧ２で制御することにより、磁気回路部４の振動を得る周波数帯域幅を拡大できる。
【００４９】
詳しくは、アクチュエータ内部の空気をダンパとして使用し、磁気回路部４の振動に伴う上下の動きを受け止めることから、着信報知に必要な体感振動量を得る周波数帯域幅を拡大できる。これにより、体感振動に必要となる加速度をより幅広い周波数帯域幅で得られるため、共振点が帯域幅から外れ難くなり、共振点が定め易く、所望の振動加速度が得られて体感振動特性の安定性を図れる。
【００５０】
それに加えて、周波数の変化幅に対する加速度の落ち込みを緩やかにできることにより、製造に起因するアクチュエータ毎の共振点ズレによる体感振動特性のバラツキを防げ、多機能型振動アクチュエータを搭載した端末機器の使用環境が変化して共振点がずれたとしても、体感振動量の急激な落ち込みを防止できると共に、必要な体感振動量が得られなくなるといった事態の発生も防げる。
【図面の簡単な説明】
【００５１】
【図１】本発明に係る多機能型振動アクチュエータの構成部品を展開させて示す斜視図である。
【図２】図１の多機能型振動アクチュエータを構成するハウジングを示す背面図である。
【図３】図２のハウジングを示す断面図である。
【図４】図２のハウジングを示す平面図である。
【図５】図１のダイヤフラムを嵌込み固定したハウジングを示す平面図である。
【図６】図１の多機能型振動アクチュエータを構成する磁気回路部を示す断面図である。
【図７】図１の多機能型振動アクチュエータを構成するサスペンションを示す平面図である。
【図８】図１の外部端子を装着したハウジングを示す背面図である。
【図９】図１の多機能型振動アクチュエータを組立状態で示す断面図である。
【図１０】図１の多機能型振動アクチュエータ搭載状態で示す説明図である。
【符号の説明】
【００５２】
１            ハウジング
１ａ          第１ハウス部
１ｂ          第２ハウス部
１ｃ，１ｄ    第１ハウス部の底壁
１０          第１ハウス部の楕円壁
１１          第２ハウス部の円筒壁
２            ダイヤフラム
２２ａ〜２２ｄ    ダイヤフラムのＶ溝
２３          ダイヤフラムのドーム形状部
３            ボイスコイル
３ａ，３ｂ    ボイスコイルのリード線
４            磁気回路部
４ａ          磁気回路部のヨーク
４０          ヨークの最大径部
４１，４２    ヨークの周回り段部
４３          サスペンションの嵌込み段部
４ｂ          磁気回路部のマグネット
４ｃ          磁気回路部のポールピース
５            サスペンション
５０          サスペンションの円輪部
５１〜５３    サスペンションのアーム部
５１ａ〜５３ａ    アーム部の付け根
５１ｂ〜５３ｂ    アーム部の先端
６            外部端子
Ｇ１            磁気ギャップ
【図１】
2005244743.tif 000003
【図２】
2005244743.tif 000004
【図３】
2005244743.tif 000005
【図４】
2005244743.tif 000006
【図５】
2005244743.tif 000007
【図６】
2005244743.tif 000008
【図７】
2005244743.tif 000009
【図８】
2005244743.tif 000010
【図９】
2005244743.tif 000011
【図１０】
2005244743.tif 000012